(57)【要約】【課題】位置合わせ精度を確保しながら容易に設置できる架台を提供する。【解決手段】互いに直交する三方向を上下方向、前後方向、左右方向として、架構１０の上方に製造装置が搭載される天板２を備えるとともに、複数台が前後方向に並べて設置されることで製造ラインを構成する架台１であって、天板は、上下方向から見ると、前後方向と左右方向とに互いに直交する辺を有する矩形状で、製造ラインを構成する際に、前後の端面同士の間隔を所定の距離ｄに設定させる接続部２０を備え、接続部は、天板同士で対面させる側の左右の端面に設けられ、前後方向で対面する天板の側面２１間に架け渡される四角柱状のブロック部材５０を、ブロック部材用ボルト５３によって固定するためのブロック部材用ねじ孔２３と、位置決めピン５４の一端が嵌め込まれる位置決め用孔２２とが前後方向に並んで形成されている。【選択図】図４
2020075334.tif 000002
【特許請求の範囲】
【請求項１】
互いに直交する三方向を上下方向、前後方向、左右方向として、
架構の上方に製造装置が搭載される天板を備えるとともに、複数台が前後方向に並べて設置されることで製造ラインを構成する架台であって、
前記天板は、上下方向から見ると、前後方向と左右方向とに互いに直交する辺を有する矩形状で、前記製造ラインを構成する際に、当該天板の前後の端面同士の間隔を所定の距離に設定させる接続部を備え、
前記接続部は、前記天板同士で対面させる側の左右の端面に設けられ、
前記接続部には、前後方向で対面する前記天板の側面間に架け渡される四角柱状のブロック部材を、ブロック部材用ボルトによって固定するためのブロック部材用ねじ孔と、位置決めピンの一端が嵌め込まれる位置決め用孔とが前後方向に並んで形成されている、
ことを特徴とする架台。
【請求項２】
請求項１に記載の架台であって、前記位置決め用孔の前後のそれぞれに前記ブロック部材用ねじ孔が形成されていることを特徴とする架台。
【請求項３】
請求項１又は２に記載の架台であって、前記天板の角に、Ｌ字状に切り欠かれてなる切欠部が形成され、前記接続部は、前記切欠部に形成されて、前記製造ラインを構成する際に、前記切欠部の内方に前記ブロック部材が配置されることを特徴とする架台。
【請求項４】
請求項１〜３のいずれか一項に記載の架台であって、前記天板の上面には、前記製造ラインを構成する際に、当該天板同士に架け渡されるプレート部材を、プレート部材用ボルトで取り付けるためのプレート部材用ねじ孔が形成され、前記プレート用ねじ孔は、前記天板の上面の左右両側に、複数一組で形成されていることを特徴とする架台。
【請求項５】
請求項１〜３のいずれか一項に記載の架台を前後方向に複数台並べて設置する方法であって、
前記ブロック部材を用い、
当該ブロック部材には、前記位置決め用孔に対応する複数のピン嵌入孔と前記ブロック部材用ねじ孔に対応する複数のボルト挿通孔とが左右の側面間を貫通して形成され、
複数の前記ピン嵌入孔、および複数の前記ボルト挿通孔は、前後対称となるように二組に分かれて前後方向に並んで形成され、
前後対称に形成されている、一方の組における他方の組のピン嵌入孔と、他方の組におけるピン嵌入孔とが、前記製造ラインを構成した際に、前後方向で対面する天板同士の間隔に基づく所定の距離を隔てて配置され、
前後方向で隣接する前記架台のそれぞれの天板の上下位置を所定の高さに設定する上下位置設定ステップと、
前後方向で隣接する前記架台のそれぞれの前記接続部に、前記ブロック部材を、前記ボルト挿通孔に挿通された前記ブロック部材用ボルトにより取り付け、当該ブロック部材を前記隣接する架台の天板の側面間に架け渡すブロック部材取付ステップと、
前記前後方向で隣接する前記架台の前記位置決め用孔と、前記天板間に架け渡された前記ブロック部材の前記ピン嵌入孔とに、前記位置決めピンの末端側と先端側とを嵌め込む位置決めピン嵌入ステップと、
前記ブロック部材用ボルトを締結して、当該ブロック部材を、前記前後方向で隣接する前記架台のそれぞれに固定するブロック部材固定ステップと、
を含むことを特徴とする架台の設置方法。
【請求項６】
請求項４に記載の架台を前後方向に複数台並べて設置する方法であって、
前記ブロック部材と前記プレート部材とを用い、
当該ブロック部材には、前記位置決め用孔に対応する複数のピン嵌入孔と前記ブロック部材用ねじ孔に対応する複数のボルト挿通孔とが左右の側面間を貫通して形成され、
複数の前記ピン嵌入孔、および複数の前記ボルト挿通孔は、前後対称となるように二組に分かれて前後方向に並んで形成され、
前後対称に形成されている、一方の組における他方の組のピン嵌入孔と、他方の組におけるピン嵌入孔とが、前記製造ラインを構成した際に、前後方向で対面する天板同士の間隔に基づく所定の距離を隔てて配置され、
前記プレート部材には、前記プレート部材用ボルトが遊びを有した状態で挿通されるプレート孔が形成され、
前後方向で隣接する前記架台のそれぞれの天板の上下位置を所定の高さに設定する上下位置設定ステップと、
前後方向で隣接する前記架台のそれぞれの前記天板の上面間に、前記プレート部材を架け渡すとともに、当該プレート部材を前記プレート部材用ボルトにより前記天板に取り付けるプレート部材取付ステップと、
前後方向で隣接する前記架台のそれぞれの前記接続部に、前記ブロック部材を前記ブロック部材用ボルトにより取り付けて、当該ブロック部材を前記隣接する架台の天板の側面間に架け渡すブロック部材取付ステップと、
前記前後方向で隣接する前記架台の前記位置決め用孔と、前記天板間に架け渡された前記ブロック部材の前記ボルト挿通孔とに、前記位置決めピンの末端側と先端側とを嵌め込む位置決めピン嵌入ステップと、
前記ブロック部材用ボルトを締結し、前記ブロック部材を、前記前後方向で隣接する前記架台の天板のそれぞれの側面に固定するブロック部材固定ステップと、
前記プレート部材用ボルトを締結し、前記プレート部材を、前記前後方向で隣接する前記架台の天板のそれぞれの上面に固定するプレート部材固定ステップと、
を含むことを特徴とする架台の設置方法。
【発明の詳細な説明】
【技術分野】
【０００１】
本発明は、架台、および架台の設置方法に関する。
【背景技術】
【０００２】
架台は、設備機器や製造装置などの重量物を設置するための架構であり、工場における製品の製造ラインでは、複数台の架台が並べられ、各架台に産業用ロボットなどの製造装置が搭載されている。概略的には、一つの架台と、その架台に搭載された製造装置とによって一つのユニットが形成され、複数のユニットの架台同士が直線的に並べられることで製造ラインが構成される。なお、以下の非特許文献１には、製品として提供されている架台について記載されている。
【０００３】
ところで、隣接するユニットの製造装置間では、製造途上の製品や部品（以下、ワークと言うことがある）が確実に受け渡される必要がある。隣接する製造装置間でワークを受け渡す方法としては、隣接する架台間にベルトコンベアなどの搬送装置を架け渡す方法と、各架台に搭載されている製造装置間でワークを直接受け渡す、所謂ダイレクト搬送型とがある。
【０００４】
搬送装置を用いてワークを受け渡す方法では、ある工程を受け持つある製造装置は、製造ラインの上流側に隣接する製造装置による前工程を経たワークが搬送装置によって搬送されてくると、そのワークを把持して自身の工程を実施し、自身の工程を経たワークを再度搬送装置に戻す。しかし、搬送装置を用いたワークの受け渡し方法では、架台間に架け渡される搬送装置により、製造ラインの全長が長くなり、工場の省スペース化が阻害される。また、搬送装置によって搬送される製造途上の製品や部品は、専用の治具に搭載された状態で搬送することになり、ワークの形状によって多種多様な治具を用意する必要がある。
【０００５】
一方、ダイレクト搬送型によるワークの受け渡し方法では、製造ラインは、ユニット同士を密接させて配置されることから製造ラインの全長を短くすることができる。しかし、各ユニットにおける製造装置は、ワークを特定の位置で把持するように設計されているため、ダイレクト搬送型の製造ラインを組み立てるためには、複数の架台を高い位置精度で工場内に設置し、製造ラインの上流側の製造装置がワークを受け渡す位置と、下流側の製造装置がワークを受け取る位置とを正確に一致させる必要がある。
【０００６】
なお、架台自体は、高い精度で作製されているものの、隣接するユニット間でワークを直接受け渡すためには、上述したように、各架台をワークの搬送方向に沿って高い精度で一直線に並べる必要がある。また、架台が設置される床面に微妙な凹凸や傾斜がある場合には、架台において製造装置が載置される天板の高さ位置を揃える必要もある。
【０００７】
以下に、ダイレクト搬送型の製造ラインを組み立てる際の従来の架台の設置方法について説明する。なお、ここでは、空間にｘｙｚ直交座標系を設定し、鉛直方向をｚ軸方向とし、架台をｘ軸方向に並べて設置することとする。また、架台において、長方形の天板の長辺方向を前後方向とし、短辺方向を左右方向とし、天板の面に対する法線方向を上下方向とする。また、天板が架構の上方に配置されていることとして、上下の各方向を規定することとする。すなわち、前後、左右、上下の各方向を、架台に対して設定された相対的な方向として規定し、ｘｙｚの各軸の延長方向を、空間に固定された絶対的な方向として規定することとする。そして、以下では、前後方向と上下方向とを、それぞれｘ軸方向とｚ軸方向とに一致させるように架台を設置する手順について説明する。
【０００８】
架台の設置手順は、概略的には、まず、最初の一台の架台について、天板の長辺方向が、概ねｘ軸方向に揃うように床面に設置する。次いで、架台の上下方向がｚ軸と平行となるようにするとともに、天板上面のｚ軸方向の位置（以下、高さ位置と言うことがある）を一致させる。その上で、天板の長辺の延長方向を、ｘ軸方向に一致させて、架台の天板の短辺方向がｙ軸と平行となるようにする。このようにして、一台目の架台を設置したならば、二台目の架台を一台目と同様にして、天板の高さ位置を調整するとともに、天板の長辺方向をｘ軸方向に一致させる。また、一台目と二台目の架台とが、ｘ軸方向で所定の間隔で配置されるように、互いに対面する天板の短辺間の距離を調整する。
【０００９】
架台の高さ位置を調整するためには、架台の天板の各所に設置したレベラーと、架台の脚部の下端にねじによって取り付けられている上下高調整用のアジャスターフットとを用いる。レベラーは、所定の長さを有する棒状の部材で、架台の天板の各所に立設するように取り付けられる。そして、このレベラーの先端の位置を、レーザー照準器などを用いて観察しつつ、架台の脚部の下端にねじによって取り付けられている上下高調整用のアジャスターフットの繰り出し量を調整し、天板の上面が同じ高さ位置となるようにする。それによって、架台の上下方向がｚ軸方向と平行になり、天板の上面の高さ位置が設定される。天板の長辺方向をｘ軸方向に一致させるためには、下端を床面に引いた墨出し線をｘ軸方向とし、天板の左右一方の長辺の前後両端の取り付けた下げ振りの先端を墨出し線に合わせればよい。図１、および図２に設置済みの一台目の架台１０１ａに二台目の架台１０１ｂを並べて配置する方法の概略を示した。図１は、並んで設置されている二台の架台（１０１ａ１０１ｂ）の全体を示しており、図２は、図１において点線の矩形で示した領域１００の拡大図である。なお、実際に複数の架台１０１を設置して製造ラインを組み立てる際には、製造装置が各架台１０１の天板１０２の上に取り付けられている。
【００１０】
図１に示したように、床面に墨出し線３０を引いておくとともに、架台１０１ｂの天板１０２の角に下げ振り３１を取り付けておく。下げ振り３１の紐３２の長さは、紐３２の下端に取り付けられている逆円錐状の錘３３の頂部がほぼ床面に一致するように調整されている。なお、二台目の架台１０１ｂは、既に、レベラーとアジャスターフット１２とを用いて天板１０２ｂの高さ位置が正しく調整されているものとする。
【００１１】
一台目の架台１０１ａが設置されている状態で、二台目の架台１０１ｂの天板１０２ｂの角に取り付けられている下げ振り３１の錘３３の先端位置が墨出し線３０に合うように、目視で確認しながら、架台１０１ａを床面上で移動させる。このとき、前後方向で互いに対面する天板の端面同士の間隔が所定の距離ｄとなるように調整する。図示した例では、一台目の架台１０１ａにおいて、天板１０２ａの所定の角に取り付けられている下げ振り３１と、二台目の架台１０１ｂの天板１０２ｂにおいて、同じ角に取り付けられている下げ振り３１同士の間隔が、天板の前後長Ｌに上記距離ｄを足した距離Ｄとなるように調整する。それによって、二台目の架台１０１ｂがｘｙ面上の所定の位置に設置される。
【先行技術文献】
【非特許文献】
【００１２】
【非特許文献１】エヌアイシ・オートテック株式会社、”小型ロボット専用アルミ架台”、[online]、[平成３０年１０月１６日検索]、インターネット＜ＵＲＬ：http://www.nic-inc.co.jp/alfaframe/order/robot/index.html＞
【発明の概要】
【発明が解決しようとする課題】
【００１３】
上述したように、製造装置を搭載した複数の架台１０１を並べて、ダイレクト搬送型の製造ラインを組み立てるには、複数の架台１０１を高い位置合わせ精度で設置する必要がある。従来の架台１０１の設置方法では、架台１０１の高さ位置を合わせた上で、架台１０１の所定位置に取り付けられた下げ振り３１を墨出し線３０に合わせながら、架台１０１のｘｙ面内での位置を微調整しながら位置合わせをしている。しかし、従来の架台１０１の設置方法では、ｘｙ面内の位置を調整する過程で、床面の微妙な凹凸や傾斜により、最初に調整した高さ位置が狂ってくる可能性がある。そのため、従来の架台１０１の設置方法では、設置済みの架台１０１ａに対して順次配置していく架台１０１ｂに対し、ｘｙ面内での位置と高さ位置とを交互に微調整する必要があった。そして、このような従来の架台１０１の設置方法では、例えば、１０台程度の架台１０１を設置するために２〜３日程度の時間を要していた。
【００１４】
さらに、従来の架台１０１の設置方法では、架台１０１を設置する作業者や、その設置作業の監督者の技能や熟練度によって、架台１０１の設置作業に掛かる時間や、架台１０１の位置合わせ精度に差がでる場合があった。すなわち、従来の架台１０１の設置方法では、スケジュール通りに製造ラインを組み立てることができなかったり、製造装置間でのワークの受け渡しに支障が生じたりする可能性がある。
【００１５】
また、製造ラインは、ある場所で一度組み立てられたのち、分解されて他の場所で再度組み立てられる場合もある。例えば、製造ラインの設置業者が、製造ラインを、工場などの最終的な設置場所とは別の場所で組み立て、各ユニット間でのワークの受け渡し動作などを確認したのち、その製造ラインをユニット毎に分解し、そのユニットを最終的な設置場所に移設して製造ラインを組み立てることがある。製造ラインを移設する場合、従来の架台１０１の設置方法では、製造ラインを移設する前後のそれぞれの場所で、上述した煩雑な架台１０１の設置作業を行う必要がある。
【００１６】
そこで、本発明は、位置合わせ精度を確保しながら、簡素な作業で容易に設置できる架台と、その架台の設置方法とを提供することを目的としている。
【課題を解決するための手段】
【００１７】
上記目的を達成するための本発明の一態様は、互いに直交する三方向を上下方向、前後方向、左右方向として、架構の上方に製造装置が搭載される天板を備えるとともに、複数台が前後方向に並べて設置されることで製造ラインを構成する架台であって、
前記天板は、上下方向から見ると、前後方向と左右方向とに互いに直交する辺を有する矩形状で、前記製造ラインを構成する際に、当該天板の前後の端面同士の間隔を所定の距離に設定させる接続部を備え、
前記接続部は、前記天板同士で対面させる側の左右の端面に設けられ、
前記接続部には、前後方向で対面する前記天板の側面間に架け渡される四角柱状のブロック部材を、ブロック部材用ボルトによって固定するためのブロック部材用ねじ孔と、位置決めピンの一端が嵌め込まれる位置決め用孔とが前後方向に並んで形成されている、
ことを特徴とする架台としている。
【００１８】
前記位置決め用孔の前後のそれぞれに前記ブロック部材用ねじ孔が形成されている架台とすることもできる。
【００１９】
前記天板の角に、Ｌ字状に切り欠かれてなる切欠部が形成され、前記接続部は、前記切欠部に形成され、前記製造ラインを構成する際に、前記切欠部の内方に前記ブロック部材が配置される架台とすれば好ましい。
【００２０】
前記天板の上面には、前記製造ラインを構成する際に、当該天板同士に架け渡されるプレート部材を、プレート部材用ボルトで取り付けるためのプレート部材用ねじ孔が形成され、前記プレート用ねじ孔は、前記天板の上面の左右両側に、複数一組で形成されている架台とすることもできる。
【００２１】
本発明のその他の態様は、前記架台を前後方向に複数台並べて設置する方法も本発明のであって、
前記ブロック部材を用い、
当該ブロック部材には、前記位置決め用孔に対応する複数のピン嵌入孔と前記ブロック部材用ねじ孔に対応する複数のボルト挿通孔とが左右の側面間を貫通して形成され、
複数の前記ピン嵌入孔、および複数の前記ボルト挿通孔は、前後対称となるように二組に分かれて前後方向に並んで形成され、
前後対称に形成されている、一方の組における他方の組のピン嵌入孔と、他方の組におけるピン嵌入孔とが、前記製造ラインを構成した際に、前後方向で対面する天板同士の間隔に基づく所定の距離を隔てて配置され、
前後方向で隣接する前記架台のそれぞれの天板の上下位置を所定の高さに設定する上下位置設定ステップと、
前後方向で隣接する前記架台のそれぞれの前記接続部に、前記ブロック部材を、前記ボルト挿通孔に挿通された前記ブロック部材用ボルトにより取り付け、当該ブロック部材を前記隣接する架台の天板の側面間に架け渡すブロック部材取付ステップと、
前記前後方向で隣接する前記架台の前記位置決め用孔と、前記天板間に架け渡された前記ブロック部材の前記ピン嵌入孔とに、前記位置決めピンの末端側と先端側とを嵌め込む位置決めピン嵌入ステップと、
前記ブロック部材用ボルトを締結して、当該ブロック部材を、前記前後方向で隣接する前記架台のそれぞれに固定するブロック部材固定ステップと、
を含むことを特徴とする架台の設置方法としている。
【００２２】
あるいは、前記ブロック部材と前記プレート部材とを用い、
当該ブロック部材には、前記位置決め用孔に対応する複数のピン嵌入孔と前記ブロック部材用ねじ孔に対応する複数のボルト挿通孔とが左右の側面間を貫通して形成され、
複数の前記ピン嵌入孔、および複数の前記ボルト挿通孔は、前後対称となるように二組に分かれて前後方向に並んで形成され、
前後対称に形成されている、一方の組における他方の組のピン嵌入孔と、他方の組におけるピン嵌入孔とが、前記製造ラインを構成した際に、前後方向で対面する天板同士の間隔に基づく所定の距離を隔てて配置され、
前記プレート部材には、前記プレート部材用ボルトが遊びを有した状態で挿通されるプレート孔が形成され、
前後方向で隣接する前記架台のそれぞれの天板の上下位置を所定の高さに設定する上下位置設定ステップと、
前後方向で隣接する前記架台のそれぞれの前記天板の上面間に、前記プレート部材を架け渡すとともに、当該プレート部材を前記プレート部材用ボルトにより前記天板に取り付けるプレート部材取付ステップと、
前後方向で隣接する前記架台のそれぞれの前記接続部に、前記ブロック部材を前記ブロック部材用ボルトにより取り付けて、当該ブロック部材を前記隣接する架台の天板の側面間に架け渡すブロック部材取付ステップと、
前記前後方向で隣接する前記架台の前記位置決め用孔と、前記天板間に架け渡された前記ブロック部材の前記ボルト挿通孔とに、前記位置決めピンの末端側と先端側とを嵌め込む位置決めピン嵌入ステップと、
前記ブロック部材用ボルトを締結し、前記ブロック部材を、前記前後方向で隣接する前記架台の天板のそれぞれの側面に固定するブロック部材固定ステップと、
前記プレート部材用ボルトを締結し、前記プレート部材を、前記前後方向で隣接する前記架台の天板のそれぞれの上面に固定するプレート部材固定ステップと、
を含む架台の設置方法とすることもできる。
【発明の効果】
【００２３】
本発明によれば、位置合わせ精度を確保しながら、簡素な作業で容易に設置できる架台と、その架台の設置方法とが提供される。なお、その他の効果については以下の記載で明らかにする。
【図面の簡単な説明】
【００２４】
【図１】従来の架台と、その架台の設置方法を示す図である。
【図２】従来の架台と、その架台の設置方法を示す拡大図である。
【図３】本発明の実施例に係る架台と、その架台の設置方法を示す図である。
【図４】上記実施例に係る架台と、その架台の設置方法を示す拡大図である。
【図５】上記実施例に係る架台を設置する際に用いられるブロック部材と位置決めピンとを示す図である。
【図６】上記実施例に係る架台の設置方法の手順を示す流れ図である。
【図７】上記実施例に係る架台の設置方法における架台の位置合わせ原理を示す図である。
【図８】上記実施例に係る架台に取り付けられた上記ブロック部材を取り外すための治具を示す図である。
【発明を実施するための形態】
【００２５】
本発明の実施例について、以下に添付図面を参照しつつ説明する。なお、以下の説明に用いた図面において、同一又は類似の部分に同一の符号を付して重複する説明を省略することがある。図面によっては説明に際して不要な符号を省略することもある。
【００２６】
＝＝＝実施例＝＝＝
＜架台の構造＞
図３と図４とに、本発明の実施例に係る架台１を示した。図３と図４には、実施例に係る二つの架台（１ａ、１ｂ）が、前後方向に並べられて設置されている状態を示している。図３は、二つの架台（１ａ、１ｂ）の全体図であり、図４は、図３における点線の枠出示した領域１１０内を拡大した図である。なお、以下に示す各図でも、図１および図２に示した、空間におけるｘ、ｙ、ｚの各軸の絶対的な方向と、架台（１ａ、１ｂ）における相対的な上下、左右、前後の各方向とを規定することとする。
【００２７】
図３、図４に示したように、架台１は、矩形の枠体からなる架構１０の上に矩形平面形状を有する天板２が取り付けられてなり、架構１０の柱となる脚部１１の下端には、アジャスターフット１２が取り付けられている。アジャスターフット１２を除いた、天板２と架構１０とからなる構造体の寸法は、前後長３５００ｍｍ、左右幅１５００ｍｍ、高さ７００ｍｍである。天板２の前端と後端の左右側面には、架台（１ａ、１ｂ）を前後方向の間隔が所定の距離ｄとなるように配置するための接続部２０が形成されている。本実施例では、Ｌ字状に切り欠いた領域が接続部（以下、切欠部２０と言うことがある）となっている。切欠部２０における左右の側面２１には、三つの孔（２２、２３）が前後に一列に並んで形成されている。また、天板２の上面には、左右方向に並ぶ二つ一組のねじ孔２４が切欠部２０の近傍に形成されている。
【００２８】
前後方向に並んだ二つの架台（１ａ、１ｂ）が位置決めされて配置されている状態では、二つの架台（１ａ、１ｂ）のぞれぞれの切欠部２０が、前後方向で対向する。そして、その互いに対向し合う切欠部２０は、上方から見て、略矩形に形成された空間を形成している。そして、その空間に角柱状のブロック部材５０が取り付けられている。
【００２９】
図５にブロック部材の拡大図を示した。図４および図５に示したように、ブロック部材は、四角柱からなり、鉄製で、高い強度と剛性とを有している。実施例に係る架台１に取り付けられるブロック部材５０は、端面が２５ｍｍ四方の正四角柱である。ブロック部材５０には、左右方向に貫通する二種類の孔（５１、５２）からなる合計六つの孔（５１、５２）が、前後に一列に並んで形成されている。二種類の孔（５１、５２）のうちの一方の種類は、ボルト（以下、ブロック部材用ボルト５３と言うことがある）が挿通される孔（以下、ボルト挿通孔５１と言うことがある）であり、他方の種類は、位置決めピン５４が嵌め込まれる孔（以下、ピン嵌入孔５２と言うことがある）である。また、六つの孔（５１、５２）は、ブロック部材５０の前端側と後端側とに、三つ一組で形成されており、各組は、一つのピン嵌入孔５２と、そのピン嵌入孔５２の前方と後方とに配置された二つのボルト挿通孔５１とからなる。
【００３０】
図３、図４に示したように、一組中の三つの孔（５１、５２）は、それぞれが、架台１の切欠部２０の側面２１に形成されている三つの孔（２２、２３）に対応し、位置決めピン５４の一端が嵌め込まれる孔（以下、位置決め用孔２２とも言う）の前方と後方にそれぞれ、ブロック部材用ボルト５３がねじ込まれる雌ねじが形成された孔（以下、ブロック部材用ねじ孔２３とも言う）が形成されている。
【００３１】
また、前後方向に並んだ二つの架台（１ａ、１ｂ）が位置決めされて配置されている状態では、二つの架台（１ａ、１ｂ）の天板（２ａ、２ｂ）の上面に、矩形平面形状を有するプレート状の部材（以下、プレート部材６０と言うことがある）が架け渡されている。プレート部材６０は、鉄製で、所定の厚さ（例えば１５ｍｍ）を有し、ブロック部材５０と同様に、高い強度と剛性とを有している。
【００３２】
プレート部材６０の四隅には、ボルト（以下、プレート部材用ボルト６１と言うことがある）が挿通される孔（以下、プレート孔６２と言うことがある）が形成されている。そして、プレート部材用ボルト６１が、プレート孔６２に挿通されつつ、天板２の上面に形成されたねじ孔（以下、プレート部材用ねじ孔２４と言うことがある）にねじ込まれている。それによって、プレート部材６０が天板２の上面に固定されている。
【００３３】
なお、上述したように、架台１自体は高い精度で作製されるものであり、実施例に係る架台１も、当然のことながら、従来の架台１０１と同様に高い寸法精度で作製されている。すなわち、天板２の上面と側面とは、正確に直交し、天板２は高い精度で平坦性が確保されている。切欠部２０、切欠部２０の側面に形成されている各種孔（２２、２３）、およびプレート部材用ねじ孔２４は、高い位置精度や寸法精度で形成されている。
【００３４】
一方、ブロック部材５０やプレート部材６０も、ＮＣマシンなどを用いて高い寸法精度で作製することができる。したがって、当然のことながら、四角柱状のブロック部材５０の側面は、それぞれが正確に直交し、プレート部材６０の表面も高い精度で平坦性が確保されている。
【００３５】
＜架台の設置方法＞
次に、二台の架台（１ａ、１ｂ）を、ブロック部材５０と、プレート部材６０とを用いて設置する手順を、本発明の実施例に係る架台の設置方法として挙げる。図６に、架台（１ａ、１ｂ）の設置手順を示した。以下、図３〜図６を参照しつつ、二つの架台（１ａ、１ｂ）を位置合わせしながら連結する手順を示す。
【００３６】
まず、一台目の架台１ａを設置する（ｓ１）。ここでは、従来の架台１０１の設置方法と同様にして、レベラーとアジャスターフット１２とを用い、一台目の架台１ａの天板２ａがｘｙ面と平行となり、かつ天板２ａの上面各部のｚ軸方向の位置が所定の高さとなるように調整する。また、一台目の架台１ａをｘｙ面内で位置合わせする。なお、一台目の架台１ａのｘｙ面での位置については、厳密に設置する必要がない。概ねｘ軸方向に一致しれていればよい。もちろん、従来の架台１０１の設置方法と同様にして、墨出し線３０と下げ振り３１とを用いて一台目の架台１ａを設置してもよい。
【００３７】
次に、二台目の架台１ｂを仮設置する。ここでは、一台目の架台１ａと二台目の架台１ｂのそれぞれの天板（２ａ、２ｂ）の左右側面が、概ね、面一となるように、二台目の架台１ｂを一台目の架台１ａの前後いずれかの方向に配置するとともに、二台目の架台１ｂの高さ位置を、一台目の架台１ａと同様にして調整する（ｓ２）。それによって、二つの架台（１ａ、１ｂ）のそれぞれの天板（２ａ、２ｂ）の高さ位置が揃うとともに、切欠部２０が前後方向で対向し、上方から見ると、上述した略矩形の空間が形成される。
【００３８】
二台の架台（１ａ、１ｂ）の天板（２ａ、２ｂ）の高さが揃い、左右の側面が概ね面一になったならば、各架台（１ａ、１ｂ）の天板（２ａ、２ｂ）間に、プレート部材６０を取り付けるとともに、各架台（１ａ、１ｂ）の切欠部２０が前後方向で対向することで形成された矩形状の領域に、ブロック部材５０を取り付ける（ｓ３、ｓ４）。
【００３９】
具体的には、二つの架台（１ａ、１ｂ）の天板（２ａ、２ｂ）間にプレート部材６０を架け渡すとともに、プレート部材６０を、プレート部材用ボルト６１を用いて天板（２ａ、２ｂ）に固定する。それによって、プレート部材６０の下面が二つの架台（１ａ、１ｂ）の天板（２ａ、２ｂ）の上面に密着し、その後に架台（１ａ、１ｂ）のｘｙ面内での位置を調整した際に天板（２ａ、２ｂ）の高さ位置が多少ずれたとしても、二つの架台（１ａ、１ｂ）の天板（２ａ、２ｂ）は、段差やねじれのない平坦面を維持する。なお、プレート部材６０は、プレート孔６２の径が、プレート部材用ボルト６１において雄ねじが形成されている部分の径よりも大きくなっている。そして、プレート部材６０を天板（２ａ、２ｂ）に取り付ける手順（ｓ３）では、プレート部材用ボルト６１を完全に締結せず、隣接する二つの架台（１ａ、１ｂ）が、若干の遊びを有してｘｙ面内での若干の移動が許容される状態にしておく。また、二台目の架台１ｂが設置される床面に、「スライドペーパー」などと呼ばれる、低摩擦のシートを敷いておく。
【００４０】
次に、ブロック部材５０を、二台の架台（１ａ、１ｂ）において、互いに対向し合う切欠部２０間に架け渡すように取り付ける。具体的には、位置決めピン５４の一方の端部（以下、末端と言うことがある）を切欠部２０の側面２１に形成されている位置決め用孔２２に嵌め込んでおく、そして、他方の端部（以下、先端と言うことがある）側を切欠部２０の側面２１から突出させておき、ブロック部材５０に挿通させたブロック部材用ボルト５３の先端側を、切欠部２０の側面２１に形成されているブロック部材用ねじ孔２３にねじ込む。なお、ブロック部材用ねじ孔２３は、ブロック部材用ボルト５３の径に対して１ｍｍ程度拡径された座繰りが形成されており、前後と上下の各方向の位置精度が１ｍｍ以下の誤差であれば、ブロック部材用ボルト５３の先端をブロック部材用ねじ孔２３に案内させることができる。
【００４１】
そして、ブロック部材用ボルト５３が、ブロック部材用ねじ孔２３の開口端に接したならば、当該ブロック部材用ボルト５３をねじ込んでいく。ブロック部材用ねじ孔２３は、位置決め用孔２２に対して前後対称となる位置に形成されており、一つの切欠部２０に対応する二つ一組のブロック部材用ボルト５３を、ブロック部材用ねじ孔２３にねじ込んでいくと、位置決めピン５４とブロック部材５０のピン嵌入孔５２とが同軸上に配置されるとともに、位置決めピン５４の先端が、ピン嵌入孔５２の開口端に案内される。
【００４２】
位置決めピン５４の先端がピン嵌入孔５２の開口端まで案内されたならば、ブロック部材５０を叩くなどして、位置決めピン５４をピン嵌入孔５２に嵌め込む。位置決めピン５４がピン嵌入孔５２に嵌め込まれると、二つの架台（１ａ、１ｂ）の天板（２ａ、２ｂ）の長辺同士が一直線に並び、二つの架台（１ａ、１ｂ）が連結された状態で設置される。
【００４３】
なお、架台（１ａ、１ｂ）にブロック部材５０とプレート部材６０とを固定する過程で、架台（１ａ、１ｂ）の高さ位置がずれたとしても、プレート部材６０によって二つの架台（１ａ、１ｂ）の天板（２ａ、２ｂ）が、同一面内にあるため、二つの架台（１ａ、１ｂ）の高さ位置を個別に再調整する必要がない。すなわち、レベラーを用いながら、連結状態にある二つの架台（１ａ、１ｂ）の設置領域における四隅のアジャスターフットの繰り出し量のみを調整し、天板（２ａ、２ｂ）の高さ位置が再調整されたならば、二台の架台（１ａ、１ｂ）において、互いに対向し合う脚部１１のアジャスターフット１２を調整し、これらのアジャスターフット１２の下端面を床面に当接させればよい。三台目の架台１を配置する場合には、上記と同様の手順により、設置済みの二台の架台（１ａ、１ｂ）の前後一方の前端あるいは後端側に三台目の架台１を連結させればよい。このようにして、複数の架台１を順次連結していき製造ラインを完成させる。
【００４４】
次に、実施例に係る架台１がブロック部材５０と位置決めピン５４とによって高精度で位置合わされる原理について説明する。図７に、架台（１ａ、１ｂ）を上方から見たときの平面図を示した。図７に示したように、ブロック部材５０における、二つのピン嵌入孔５２の前後方向の間隔Ｐは、前後方向で隣接する二つの架台（１ａ、１ｂ）のそれぞれの天板（２ａ、２ｂ）同士が対面する間隔ｄに基づいて形成されており、位置決めピン５４がブロック部材５０のピン嵌入孔５２に嵌め込まれると、二つの架台（１ａ、１ｂ）のそれぞれの位置決めピン５４同士が、ブロック部材５０における、二つのピン嵌入孔５２の間隔Ｐに一致するように配置される。
【００４５】
また、架台（１ａ、１ｂ）に搭載される製造装置の天板２上での位置も、位置決め用孔２２の位置を基準にして規定することができる。図７に示したように、天板２上の任意の位置（Ｘ，Ｙ）は、切欠部２０の側面２１における位置決め用孔２２の位置を基準とした、前後方向の距離Ｌｘと、左右方向の距離Ｌｙとによって規定される。したがって、架台（１ａ、１ｂ）が正しく設置されれば、自ずと、架台（１ａ、１ｂ）上の製造装置も高い精度で位置合わせされ、隣接する架台（２ａ、２ｂ）のそれぞれに搭載されている製造装置間でワークを確実に受け渡すことができる。
【００４６】
＜製造ラインの分解＞
製造ラインを移設するなど、連結状態にある架台１を分離する場合には、製造ラインの組立手順と逆の手順で連結状態にある架台１を分離すればよい。なお、連結状態にある架台１では、ブロック部材５０のピン嵌入孔５２と、架台１側に設けられた位置決め用孔２２とに位置決めピン５４が固く嵌め込まれた状態にあるため、ブロック部材５０が架台１に密着している場合、ブロック部材５０を架台１から取り外すことが難しくなる。そこで、位置決めピンの先端面にねじ孔を形成しておくことが考えられる。そして、このねじ孔に、先端に雄ねじが形成された専用の治具をねじ込み、その治具を用いてブロック部材５０を架台１から取り外すことが考えられる。図８に、治具７０の一例示した。治具７０は、鉄製の丸棒７１の末端側に拡径された頭部７２が一体成形された本体７３と、丸棒７１の部分に摺動自在に環装されているリング状の部材７４とで構成されている。丸棒７１の先端には、位置決めピン５４のねじ孔５５に螺合する雄ねじ７５が形成されている。そして、治具７０の雄ねじ７５を、位置決めピン５４の先端の雄ねじにねじ込んで、治具７０を位置決めピン５４に取り付けたならば、図中、白抜き矢印で示したように、リング状の部材７４を末端側に摺動させ、そのリング状の部材７４で頭部７２を叩く動作を繰り返す。それによって、位置決めピン５４が、ピン嵌入孔５２から徐々に左右外方に向けて引き抜かれていく。
【００４７】
＝＝＝その他の実施例＝＝＝
上記実施例に係る架台１では、天板２の切欠部２０に、二つのブロック部材用ねじ孔２４が一つの位置決め用孔２３を前後で狭持するように形成されて、ブロック部材５０が、一つの切欠部２０について、二本のブロック部材用ボルト５３によって取り付けられていた。そのため、前後方向で連結される二つの架台（１ａ、１ｂ）の天板（２ａ、２ｂ）の高さ位置に多少のズレがあったとしても、ブロック部材５０を天板（２ａ、２ｂ）に取り付けると、位置決めピン５４とブロック部材５０のピン嵌入孔５２とが自然に同軸上に配置されるようになる。もちろん、床面の平坦性が確保されているのであれば、一つの切欠部２０について、ブロック部材用ねじ孔２３が一つであってもよい。当然のことながら、ブロック部材用ねじ孔２３が三つ以上形成されていてもよい。位置決め用孔２２についても、一つの切欠部２０について複数箇所に形成されていてもよい。
【００４８】
上記実施例に係る架台１は、天板２にブロック部材５０が取り付けられる位置に切欠部２０が形成されていた。そして、ブロック部材５０が取り付けられた状態では、天板２の左右側面とブロック部材５０の左右側面とがほぼ面一となっていた。そのため、ブロック部材５０が、製造ラインの左右から突出して障害物となるのを防止していた。もちろん、架台１の設置場所が十分に広かったり、無人であったりすれば、切欠部２０は必ずしも必要ではない。いずれにしても、天板２の左右側面にブロック部材５０を位置決めした状態で取り付けるための、ブロック部材用ねじ孔２３と位置決めピンを嵌め込むための位置決め用孔２２とが形成されていればよい。
【００４９】
上記実施例では、前後の架台（１ａ、１ｂ）の天板（２ａ、２ｂ）同士が平坦面を形成するように、プレート部材６０を、隣接する架台（１ａ、１ｂ）の天板（２ａ、２ｂ）の上面間に架け渡していた。もちろん、従来の架台１０１の設置方法と同様に、個々の架台（１ａ、１ｂ）のそれぞれについて、平坦性と上下位置とを調整して、複数の架台１の天板２の上下位置を合わせてもよい。しかし、本実施例に係る架台１の設置方法では、複数の架台１の天板２の平坦性を容易に確保することができ、かつ複数の架台１の天板２の上下位置を同時に合わせることができる。
【００５０】
また、架台（１、１０１）には、免震機構付きのアジャスターフット１２を備えたものがあり、従来の設置方法によって架台１０１が設置されると、地震によって転倒などの大きな損害は免れるものの、個々の架台１０１の高さ位置がずれてしまう。そして、再度、架台１０１の位置合わせ作業を行う必要がある。そのため、製造ラインの復旧までに長い期間を要する。一方、本実施例に係る架台１は、複数の架台１の天板２同士がプレート部材６０によって連結されるので、地震が発生しても複数の架台１の天板２同士の平坦面が維持される。そして、複数台の架台１の天板２の上下方向の位置を一括して調整し直すことができ、製造ラインを短期間で復旧させることが可能となる。
【符号の説明】
【００５１】
１，１ａ，１ｂ，１０１，１０１ａ，１０１ｂ  架台、２，２ａ，２ｂ，１０２，１０２ａ，１０２ｂ  天板、１０  架構、１１  脚部、１２  アジャスターフット、２０  切欠部、２１  切欠部の側面、２２  位置決め用孔、２３  ブロック部材料ねじ孔、２４  プレート部材用ねじ孔、３０  墨出し線、３１  下げ振り、５０  ブロック部材、５１  
ボルト挿通孔、５２  ピン嵌入孔、５３  ブロック部材用ボルト、５４  位置決めピン、６０  プレート部材、６１  プレート部材用ボルト、治具７０
【図１】
2020075334.tif 000003
【図２】
2020075334.tif 000004
【図３】
2020075334.tif 000005
【図４】
2020075334.tif 000006
【図５】
2020075334.tif 000007
【図６】
2020075334.tif 000008
【図７】
2020075334.tif 000009
【図８】
2020075334.tif 000010